(57)【要約】【課題】ロックレバー部と操作部とが連結アームで連結されて回動軸線方向に離れて配置された構造であっても、パネル本体に掛かる外力によって連結アームに捩れが発生しない。【解決手段】パネル本体23側に回動自在に設けられるロックレバー部29と、支持フレーム27側に設けられると共にロックレバー部と係合することでパネル本体の回動位置を固定する係合固定部31とを備えるチルト機構部33と、ロックレバー部が係合固定部と係合するロック位置とロックレバー部が係合固定部との係合を解除するロック解除位置とにロックレバー部の位置を切り換える操作部35と、前記ロックレバー部と操作部と両者の間を一体に連結する連結アーム36とを備えて構成されたロックアーム37とを備え、ロックアームは、操作部の側端面外方とロックレバー部の側端面外方の二点と、ロックレバー部の連結アームとの連結側の側端面の一点との少なくとも三点で回動可能に軸支されている。【選択図】図４
2011022303.tif 000002
【特許請求の範囲】
【請求項１】
回動支点に対して所定角度の範囲で回動するパネル本体と、
前記パネル本体を回動自在に支持する支持フレームと、
前記パネル本体側に回動自在に設けられるロックレバー部と、前記支持フレーム側に設けられると共に前記ロックレバー部と係合することで前記パネル本体の回動位置を固定する係合固定部とを備えるチルト機構部と、
前記ロックレバー部が前記係合固定部と係合するロック位置と前記ロックレバー部が前記係合固定部との係合を解除するロック解除位置とにロックレバー部の位置を切り換える操作部と、
前記ロックレバー部と、前記操作部と、回動軸線方向に離間配置された前記ロックレバー部と前記操作部の間を一体に連結する連結アームとを備えて構成されたロックアームと、を備え、
前記ロックアームは、前記操作部の側端面外方と前記ロックレバー部の側端面外方の二点と、前記ロックレバー部の前記連結アームとの連結側の側端面の一点との少なくとも三点で回動可能に軸支されていることを特徴とするパネル装置。
【請求項２】
請求項１に記載のパネル装置において、
前記ロックレバー部と前記連結アームは、前記ロックレバー部の連結側の側端面に設けられる回動軸によっては連結されず、該回動軸と干渉しない位置に設けられる連結片を介して連結されていることを特徴とするパネル装置。
【請求項３】
請求項１に記載のパネル装置において、
前記ロックレバー部と前記連結アームは、前記ロックレバー部の連結側の側端面から突出する回動軸によって直接連結されて一体化されていることを特徴とするパネル装置。
【請求項４】
請求項２または３に記載のパネル装置において、
前記ロックレバー部の連結側の側端面に設けられる回動軸の軸受は、該回転軸が前記パネル本体から離れる方向へ変位するのを規制する規制部によって構成されていることを特徴とするパネル装置。
【請求項５】
請求項３に記載のパネル装置において、
前記ロックレバー部と前記連結アームを直接連結する前記回動軸の軸受は、該回動軸を遊びを持った状態で軸支するように構成されていることを特徴とするパネル装置。
【請求項６】
請求項１〜５のいずれか１項に記載のパネル装置において、
前記ロックレバー部は、前記パネル本体の裏面における前記パネル本体の表示部が設けられている範囲と重なる位置に設けられており、前記操作部は、前記パネル本体の裏面における前記表示部と重ならない位置に設けられていることを特徴とするパネル装置。
【請求項７】
ハウジングの外面にチルト式のパネル装置を備えた記録装置であって、
前記パネル装置は、請求項１〜６のいずれか１項に記載のパネル装置であることを特徴とする記録装置。
【発明の詳細な説明】
【技術分野】
【０００１】
本発明は、パネル本体を収納位置と使用位置の少なくとも２つの回動位置に回動することができ、パネル本体の回動位置を規制するロックレバー部と、該ロックレバー部の回動を操作する操作部とが回動軸線方向の離れた位置に配設されているパネル装置及び該パネル装置を備えた記録装置に関する。
【背景技術】
【０００２】
従来からハウジングの外面にチルト式のパネル装置を備えた記録装置等の各種の電子機器が存在している。前記パネル装置には、液晶モニター等の表示部や操作ボタンが表面に配置された回動自在のパネル本体が設けられており、該パネル本体の裏面には、前記パネル本体を収納位置と使用位置の少なくとも２つの回動位置間で回動を実現するチルト機構部が設けられている。
【０００３】
前記チルト機構部には、パネル本体の回動位置を規定するロックレバー部と、該ロックレバー部の回動を操作する操作部とが設けられている。そして、これらのロックレバー部と操作部は、特許文献１（特開２００７−１６３９５１号公報）に開示されているパネル装置のように、パネル本体の表面に設けられている表示部の領域と重なるパネル本体の裏面側の位置に設けられている。
【発明の概要】
【発明が解決しようとする課題】
【０００４】
しかしながら、このような配置構成のパネル装置の場合には、操作部をユーザーが手で操作する際に、パネル本体表面の表示部の一部がユーザーの手で隠れてしまって、当該表示部を見ながら操作することができなくなってしまう問題がある。
【０００５】
一方、前記ロックレバー部と操作部とを回動軸線方向の離れた位置に配設することも可能である。しかし、この配置構成の場合には、パネル本体を使用位置に回動させた状態でパネル本体を収納位置側に回動させる向きの外力がパネル本体に加わると、前記ロックレバー部と操作部との間の連結アームの部分で捩れが生じ、その捩れた部位に応力集中が発生して、当該部位やチルト機構部を破損したり変形させる虞れがある。
【０００６】
そこで、本発明に係る幾つかの態様は、前記課題を解決することで、ロックレバー部と操作部とが連結アームで連結されて回動軸線方向に離れて配置された構造であっても、パネル本体に掛かる外力によって連結アームに捩れが発生する問題を防止することができるパネル装置及び該パネル装置を備えた記録装置を提供するものである。
【課題を解決するための手段】
【０００７】
前記課題を解決するために本発明の第１の態様に係るパネル装置は、回動支点に対して所定角度の範囲で回動するパネル本体と、前記パネル本体を回動自在に支持する支持フレームと、前記パネル本体側に回動自在に設けられるロックレバー部と、前記支持フレーム側に設けられると共に前記ロックレバー部と係合することで前記パネル本体の回動位置を固定する係合固定部とを備えるチルト機構部と、前記ロックレバー部が前記係合固定部と係合するロック位置と前記ロックレバー部が前記係合固定部との係合を解除するロック解除位置とにロックレバー部の位置を切り換える操作部と、前記ロックレバー部と、前記操作部と、回動軸線方向に離間配置された前記ロックレバー部と前記操作部の間を一体に連結する連結アームとを備えて構成されたロックアームと、を備え、前記ロックアームは、前記操作部の側端面外方と前記ロックレバー部の側端面外方の二点と、前記ロックレバー部の前記連結アームとの連結側の側端面の一点との少なくとも三点で回動可能に軸支されていることを特徴とするものである。
【０００８】
本態様によれば、ロックレバー部と操作部は、回動軸線方向の離間した位置に、互いに連結アームで一体に連結されて配置されているが、ロックアームは、前記操作部の側端面外方と前記ロックレバー部の側端面外方の二点と、前記ロックレバー部の前記連結アームとの連結側の側端面の一点との少なくとも三点で回動可能に軸支されている。  
従って、パネル本体を使用位置に回動させた状態でパネル本体を収納位置側に回動させる向きの外力がパネル本体に加わった場合、パネル本体に掛かった外力がロックレバー部に伝わるが、この力は、ロックレバー部自体の前記側端面外方と前記連結側の側端面の両側端面（二箇所）の軸支位置で受け止められ、連結アーム側にはほとんど伝わらない。従って、ロックレバー部と操作部との間の連結アームの部分で捩れは発生しない。これにより、連結アームに応力集中も起こらず、当該連結アームやチルト機構部の破損等の問題は生じない。
【０００９】
本発明の第２の態様は、前記第１の態様のパネル装置において、前記ロックレバー部と前記連結アームは、前記ロックレバー部の連結側の側端面に設けられる回動軸によっては連結されず、該回動軸と干渉しない位置に設けられる連結片を介して連結されていることを特徴とするものである。
【００１０】
一つの回転体を二点ではなく三点で軸支する構造では、その三点の軸支位置の製造精度を高く求められることになるが、本態様によれば、前記ロックレバー部と前記連結アームは、前記ロックレバー部の連結側の側端面に設けられる回動軸によっては連結されず、該回動軸と干渉しない位置に設けられる連結片を介して連結されている。従って、前記第１の態様の作用、効果に加えて、前記三点の軸支位置の製造精度を高く求められることがなく、その製造が容易である。また、前記ロックレバー部の側端面に設けられる回動軸や当該回動軸を支持する軸受等のレイアウトの自由度が向上する。
【００１１】
本発明の第３の態様は、前記第１の態様のパネル装置において、前記ロックレバー部と前記連結アームは、前記ロックレバー部の連結側の側端面から突出する回動軸によって直接連結されて一体化されていることを特徴とするものである。
【００１２】
本態様によれば、ロックレバー部と連結アームとの連結を、前記ロックレバー部の連結側の側端面から突出する回動軸によって直接行うので、前記第１の態様の作用、効果に加えて、第２の態様のような連結片が不要となり、ロックアームの構造の単純化を図ることができる。
【００１３】
本発明の第４の態様は、前記第２の態様または第３の態様のパネル装置において、前記ロックレバー部の連結側の側端面に設けられる回動軸の軸受は、該回転軸が前記パネル本体から離れる方向へ変位するのを規制する規制部によって構成されていることを特徴とするものである。
【００１４】
本態様によれば、ロックレバー部の連結側の側端面に設けられる回動軸の軸受は、該回転軸が前記パネル本体から離れる方向へ変位するのを規制する規制部によって構成されているので、構造が単純で製造が容易である。その理由を以下説明する。  
ロックアームの回動動作は、前記操作部の側端面外方と前記ロックレバー部の側端面外方の二点の軸受によって軸支されることによって実現される。すなわち、ロックアームの回動軸線方向の両端に設けられている二つの軸受によって軸支されることによって実現される。  
一方、使用位置にある状態でパネル本体に前記外力が掛かったときに連結アームに捩れが発生するのは、その外力によってロックアームが、該ロックアームの回動軸線方向の両端に設けられている前記二つの軸受に軸支された状態で変形することで前記ロックレバー部の連結側の側端面に設けられる回動軸の部分が前記パネル本体から離れる方向へ変位するからである。この変位を規制すれば前記捩れは生じない。  
本態様によれば、規制部によって前記変位が規制されるので、前記捩れの問題が発生しない。すなわち、ロックレバー部の連結側の側端面に設けられる回動軸の軸受は、軸受としての機能まで要求されない単純な変位規制構造で足りる。
【００１５】
本発明の第５の態様は、前記第３の態様のパネル装置において、前記ロックレバー部と前記連結アームを直接連結する前記回動軸の軸受は、該回動軸を遊びを持った状態で軸支するように構成されていることを特徴とするものである。  
ここで「回動軸を遊びを持った状態で軸支」とは、回転軸が軸受に極僅かの隙間をもって軸支されている状態を意味し、その隙間の量は前記三点の軸支位置の製造精度を高く求められること無く、且つ前記捩れの発生を防止できるように設定される。
【００１６】
本態様によれば、前記第４の態様と同様、ロックアームの回動動作は、前記操作部の側端面外方と前記ロックレバー部の側端面外方の二点の軸受によって軸支されることによって実現される。  
そして、使用位置にある状態でパネル本体に前記外力が掛かったときは、その外力がロックアームに伝わって、前記ロックレバー部の連結側の側端面に設けられる回動軸の部分が前記パネル本体から離れる方向へ変位しようとするが、その変位量は、当該軸受の遊びの範囲での極僅かな量となり、それ以上の変位は規制される。従って、前記遊びを設けるだけで、前記三点の軸支位置の製造精度を高く求められることなく、前記連結部やチルト機構部の破損を招くような前記捩れの問題を防止することができる。
【００１７】
本発明の第６の態様は、前記第１の態様から第５の態様のいずれか１つの態様のパネル装置において、前記ロックレバー部は、前記パネル本体の裏面における前記パネル本体の表示部が設けられている範囲と重なる位置に設けられており、前記操作部は、前記パネル本体の裏面における前記表示部と重ならない位置に設けられていることを特徴とするものである。
【００１８】
本態様によれば、ユーザーが操作部に指を掛けてロックアームを操作する時にユーザーの手がパネル本体の表示部に掛からないから、当該表示部を見ながらパネル本体の回動位置の切換え操作を実行できる。
【００１９】
前記第各態様のパネル装置において、前記係合固定部にはパネル本体の回動位置を規定する複数の係合歯が設けられ、前記ロックレバー部の回動自由端には、前記複数の係合歯のうちの１つを選択して係合する係合爪が設けられる構成にすることで、以下の効果が得られる。
【００２０】
パネル本体の回動位置を係合歯と係合爪の係合位置を変えることによって多段階に調整できると共に、前記ロックレバー部のロック位置とロック解除位置と切り換えを構造簡単
【００２１】
本発明の第７の態様は、ハウジングの外面にチルト式のパネル装置を備えた記録装置であって、前記パネル装置は、前記第１の態様から第７の態様のいずれか１つの態様のパネル装置であることを特徴とするものである。
【００２２】
本態様によれば、パネル本体の回動位置の変更をパネル本体の表示部を見ながら実行でき、ロックアームに捩れを生じさせることなく、円滑且つ確実にパネル本体を回動させて記録の実行に関する各種の操作を実行できるようになる。
【図面の簡単な説明】
【００２３】
【図１】本発明の実施例に係るパネル装置を備えたインクジェットプリンターの外観を示す斜視図。
【図２】本発明の実施例に係るパネル装置を示す後面側からの斜視図。
【図３】本発明の実施例に係るパネル装置を示す正面図。
【図４】本発明の実施例に係るパネル装置を示す背面図。
【図５】本発明の実施例に係るパネル装置を示すパネル本体が収納位置に位置し、ロックアームがロック状態である時の側面図。
【図６】本発明の実施例に係るパネル装置を示すパネル本体が収納位置に位置し、ロックアームがロック解除状態である時の側面図。
【図７】本発明の実施例に係るパネル装置を示すパネル本体が最大チルト位置に位置し、ロックアームがロック状態である時の側面図。
【図８】本発明の実施例に係るパネル装置を示すパネル本体が最大チルト位置に位置し、ロックアームがロック解除状態である時の側面図。
【図９】本発明の実施例に係るパネル装置を示すロックレバー部の連結側の側端面から突出している回動軸周辺の拡大斜視図。
【図１０】本発明の他の実施例に係るパネル装置を示す背面図（ａ）と、同図中のｂ−ｂ断面図（ｂ）。
【図１１】本発明の更に他の実施例に係るパネル装置を示す背面図（ａ）と、同図中のｂ−ｂ断面図（ｂ）。
【図１２】本発明の更に他の実施例に係るパネル装置を示す背面図（ａ）と、同図中のｂ−ｂ断面図（ｂ）。
【発明を実施するための形態】
【００２４】
以下、本発明に係るパネル装置と、該パネル装置を備えた記録装置の実施の形態について説明する。最初に本発明の記録装置を実施するための形態として図１に示すようなインクジェットプリンター１を採り上げて、インクジェットプリンター１の概略構成を説明する。  
図示のインクジェットプリンター１は、スキャナ３とプリンターとが一体になった複合型のインクジェットプリンターである。
【００２５】
このインクジェットプリンター１のハウジング５の上部６には、フラットベット型のスキャナ３と、該スキャナ３の後部側に図示しない自動給送装置の給送用開口を覆っている一例として回動式の給送用開口カバー７とが設けられている。尚、自動給送装置は、図示しない被記録材（以下用紙ともいう）をセットし、最上位の用紙から順番に１枚ずつ自動的にピックアップして記録実行部に向けて給送する装置である。
【００２６】
ハウジング５の前面部８の上部には、外観に現れるパネル本体２３における表面９の中央部に液晶モニター等によって構成されている表示部１１が設けられている。そして、この表示部１１の左右に各部の操作指令を司る複数の操作ボタン１３、１３、１３、…が設けられている、後述する本発明のパネル装置２１が備えられている。  
前記パネル装置２１の下方のハウジング５における前面部８の中央部には、種類の違うメモリーカード等の外部メディアを挿入するための開口部１５が複数設けられている。
【００２７】
また、前記開口部１５の下方のハウジング５における前面部８の下部には、記録実行後の用紙を排出する図示しない排出用開口を覆うカバーを兼ねた回動自在の排出スタッカ１７が設けられている。  
そして、このようなインクジェットプリンター１に対して備えられる本発明のパネル装置２１は、ハウジング５の前面部８の上部を広く占める幅方向Ｘに長い肉厚の矩形平板状のパネル本体２３を主要な構成部材としている。そして、該パネル本体２３の幅方向Ｘの両端面上部に設けられている回動軸２５、２５を回動支点として所定の角度、上下方向Ｚに回動できるようにハウジング５の図示しない軸受部に接続されている。
【００２８】
［実施例１］
次に、図２〜図９に基づいて、本発明のパネル装置２１の構造と動作態様について具体的に説明する（実施例１）。  
本発明のパネル装置２１は、回動軸２５、２５を回動支点として所定角度の範囲で回動する上述したパネル本体２３と、前記パネル本体２３を回動自在に支持する支持フレーム２７と、前記パネル本体２３側に回動自在に設けられるロックレバー部２９と前記支持フレーム２７側に設けられと共に前記ロックレバー部２９と係合することで前記パネル本体２３の回動位置を固定する係合固定部３１とを備えるチルト機構部３３と、前記ロックレバー部２９が前記係合固定部３１と係合するロック位置と前記ロックレバー部２９が前記係合固定部３１との係合を解除するロック解除位置とにロックレバー部２９の位置を切り換える操作部３５とを具備している。
【００２９】
また、前記ロックレバー部２９と前記操作部３５は回動軸線方向Ｓの離間した位置に配置されていて、これらロックレバー部２９と前記操作部３５の両者が連結アーム３６によって連結されている。そして、前記ロックレバー部２９と前記操作部３５と前記連結アーム３６によって、ロックアーム３７が構成されている。該ロックアーム３７は後述するように一体として回動可能に軸支されている。
【００３０】
そして、前記ロックアーム３７には、回動軸線方向Ｓの両端と中間の計３ヶ所に３本の回動軸３９、４１、４３が設けられている。これらの回動軸３９、４１、４３は、前記ロックアーム３７の操作部３５の側端面外方に設けられる端部軸受４５と、ロックレバー部２９の側端面外方に設けられる端部軸受４７とによる回動軸線方向Ｓの両端の二点と、前記ロックレバー部２９の前記連結アーム３６との連結側の側端面３０から突出する回動軸４３を軸支する中間軸受４９による回動軸線Ｌ上の一点との少なくとも三点で軸支されている。すなわち回動軸３９、４１、４３は、一直線上（回動軸線Ｌ上）に位置している。
【００３１】
パネル本体２３は、表示部１１と操作ボタン１３が設けられている表面９側のアッパーパネル５１と、前記表面９と反対の裏面１０側のロアパネル５３とを備えることによって構成されている。そして、前記ロアパネル５３の左右両端面の上部に上述した回動軸２５、２５が幅方向Ｘの外方に突出するように設けられている。  
また、前記ロアパネル５３には、上述した操作部３５側の端部軸受４５と、ロックレバー部２９外方の端部軸受４７と、ロックレバー部２９の連結側の側端面３０近傍の中間軸受４９とが設けられている。そして、これら三つの軸受４５、４７、４９によって、前記ロックアーム３７は、所定角度の範囲（例えば０°〜９０°の範囲）で回動し得るように構成されている。
【００３２】
支持フレーム２７は、前記パネル本体２３の後面側において、固定状態で配置されている支持部材である。そして、前記支持フレーム２７の前面の中央部に、パネル本体２３の回動位置を変更するための、前記回動軸２５を中心とする円弧上に配列される鋸刃状の複数の係合歯５５、５５、…を有する係合固定部３１が設けられている。
【００３３】
ロックアーム３７は、上述したようにロックレバー部２９と、連結アーム３６と、操作部３５とを一体に備える部材である。そして、本実施例では、前記ロックレバー部２９と連結アーム３６は、前記ロックレバー部２９の連結側の側端面３０から突出する回動軸４３と干渉しない位置に設けられる一例として平板状の連結片５７を介して連結されている。この回動軸４３は連結アーム３６には連結されていない（図４）。  
ロックレバー部２９は、回動基端側の両側端部に前述した回動軸４１と回動軸４３を備える湾曲した板状の部材である。そして、ロックレバー部２９の回動自由端には、前記係合固定部３１の複数の係合歯５５のうちの対向する一つと係合する係合爪５９が設けられている。
【００３４】
連結アーム３６は、ほぼ一様な断面の棒状の部材で、回動軸線方向Ｓに沿うように図４に示す背面視では左方（図３に示す正面視では右方）に向って延びるように設けられている。  
また、前記連結アーム３６の前記連結片５７が設けられていない操作部３５側の端面の外方に上述した回動軸３９が設けられており、前記端面寄りの連結アーム３６の周胴部に延長フラップ６１を介して操作部３５が設けられている。
【００３５】
前記操作部３５は、矩形平板状の部材で、上述したパネル本体２３のアッパーパネル５１とロアパネル５３の自由端（図５、図６に示す収納位置では下端）に形成されている凹部６３にその全部ないし一部が入り込むように構成されている。
【００３６】
また、図示は省略したが、前記ロックアーム３７には、付勢バネによる付勢力が作用しており、ロックレバー部２９の回動自由端に設けられている係合爪５９が、常時、係合固定部３１の係合歯５５側に偏倚するように付勢されている。
【００３７】
次に、このようにして構成される本実施例に係るパネル装置２１の作用を、パネル本体２３が収納位置に位置している図５に示す状態を出発点として、（１）パネル収納時と、（２）ロック解除・チルト開始時と、（３）パネル最大チルト時と、（４）ロック解除・収納開始時とに分けて説明する。
【００３８】
（１）パネル収納時（図５参照）
パネル本体２３が収納位置に位置している状態では、パネル本体２３は図５に示すようにハウジング５の前面部８とほぼ面一の垂直姿勢で保持されている。
【００３９】
この状態では、図示しない付勢バネから付勢力を受けてロックレバー部２９の回動自由端に設けられている係合爪５９は、図示のように最上部の係合歯５５と係合することで前記垂直姿勢が保たれている。  
また、このようにロックアーム３７がロック状態になっている時は、図５に示すように操作部３５は凹部６３から幾分下方に突出した状態になっている。
【００４０】
（２）ロック解除・チルト開始時（図６参照）
ロックアーム３７のロック状態を解除する場合には、ユーザーはパネル本体２３の上面と操作部３５との間に指を掛け、図示しない付勢バネの付勢力に抗して操作部３５を上方に持ち上げる方向の力を掛ける。  
これに伴ない、ロックアーム３７は回動軸３９と回動軸４１を支点としてロック解除方向に回転して図６に示すロック解除状態に移行する。この状態では、係合爪５９と係合歯５５との係合状態が解除されてパネル本体２３は回動可能な状態になり、一方、操作部３５は凹部６３内に完全に押し込まれた状態になる。
【００４１】
尚、係止歯５５の形状を、パネル本体２３のチルト開始方向への回動に対しては係合爪５９が離脱可能に形成しておけば、チルト開始に際しては、操作部３５によるロック解除操作をしないで、そのままの状態でパネル本体２３を回動させることができる。
【００４２】
（３）パネル最大チルト時（図７参照）
上述したロック解除状態にしてパネル本体２３を上方へ回動させて図７に示す最大チルト位置までパネル本体２３を回動させる。  
そして、パネル本体２３が最大チルト位置に達した状態で操作部３５から指を離すと、図７に示すように係合爪５９は、最下部の係合歯５５と係合したロック状態になり、パネル本体３は当該最大チルト位置で保持される。
【００４３】
係止歯５５の形状がロック解除操作を必要としないものであるときは、そのままの状態でパネル本体２３を回動させて図７に示す最大チルト位置までパネル本体２３を回動させることで、自動的にロック状態になる。
【００４４】
次に、前記最大チルト位置で保持されているパネル本体２３に対して、収納方向にパネル本体２３を回動させる向きの力が作用した場合には、ロックレバー部２９の回動基端部の両端近傍に設けられている端部軸受４７と中間軸受４９とによって、前記力が受け止められ、連結アーム側にはほとんど伝わらない。従って、ロックレバー部２９と操作部３５との間の連結アーム３６の部分で捩れは発生しない。これにより、連結アーム３６に応力集中も起こらず、当該連結アーム３６やチルト機構部３３の破損等の問題は生じない。
【００４５】
（４）ロック解除・収納開始時（図８参照）
パネル本体２３を最大チルト位置から収納位置に向けて回動させる場合には、ユーザーはパネル本体２３の上面と操作部３５との間に指を掛け、図示しない付勢バネの付勢力に抗して操作部３５を上方に持ち上げる方向の力を掛けてロックアーム３７のロック状態を解除する。  
そして、前記ロック解除状態を維持しつつ、パネル本体２３を収納位置に向けて回動させ、収納位置に到達したところで操作部３５から指を離すと、図示しない付勢バネの付勢力によってロックアーム３７は再び係合爪５９が係合歯５５と係合するロック状態に移行して上述した図５に示すパネル本体２３が収納位置で保持された状態になる。
【００４６】
尚、前記パネル本体２３の回動中、パネル本体２３の上面と操作部３５との間にユーザーの指が掛かっているが、操作部３５は、パネル本体２３の裏面１０における前記表示部１１と重ならない位置に設けられているため、ユーザーは表示部１１を見ながら前記パネル本体２３の回動操作を行うことが可能である。
【００４７】
〔実施例２〕
本発明に係るパネル装置２１は、以上述べたような構成を基本とするものであるが、本願発明の要旨を逸脱しない範囲内の部分的構成の変更や省略等を行うことも勿論可能である。  
例えば、図１０に示すパネル装置２１Ａ（実施例２）のように、前記ロックレバー部２９の連結側の側端面に設けられる回動軸４３の軸受４９は、該回転軸４３がパネル本体２３から離れる方向へ変位するのを規制する規制部６５によって構成されている構造を採用することも可能である。その他の構成は実施例１と同様なので、同一部分に同一符号を付してその説明は省略する。
【００４８】
ロックアーム３７の回動動作は、操作部３５の側端面外方の回動軸３９とロックレバー部２９の側端面外方の回動軸４１が対応する二つの軸受４５、４７によって軸支されることによって実現される。すなわち、ロックアーム３７の回動軸線方向Ｓの両端に設けられている二つの軸受４５，４７によって軸支されることによって実現される。  
一方、使用位置（図１、図７）にある状態でパネル本体２３に収納位置に向かう前記外力が掛かったときに連結アーム３６に捩れが発生するのは、その外力によってロックアーム３７が、該ロックアーム３７の回動軸線方向Ｓの両端に設けられている前記二つの軸受４５，４７に軸支された状態で変形することでロックレバー部２９の連結側の側端面に設けられる回動軸４３の部分が前記パネル本体２３から離れる方向へ変位するからである。
【００４９】
本実施例によれば、規制部６５によって回動軸４３の前記変位が規制されるので、前記捩れの問題が発生しない。すなわち、ロックレバー部２９の連結側の側端面に設けられる回動軸４３の軸受４９は、軸受としての機能まで要求されない単純な変位規制構造で足り、その製造が容易である。
【００５０】
〔実施例３〕
また、図１１に示すパネル装置２１Ｂ（実施例３）のように、ロックレバー部２９と連結アーム３６は、前記ロックレバー部２９の連結側の側端面から突出する回動軸４３によって直接連結されて一体化されるように構成することも可能である。その他の構成は実施例１と同様なので、同一部分に同一符号を付してその説明は省略する。
【００５１】
本実施例によれば、ロックレバー部２９と連結アーム３６との連結を、前記ロックレバー部２９の連結側の側端面から突出する回動軸４３によって直接行うので、前記実施例１における連結片５７が不要となり、ロックアーム３７の構造の単純化を図ることができる。すなわち、回動軸４３自体が前記連結片５７の機能を担っている。
【００５２】
〔実施例４〕
また、図１２に示すパネル装置２１Ｃ（実施例４）のように、前記ロックレバー部２９と連結アーム３６に直接連結されている回動軸４３は、該回動軸４３を支持する中間軸受６７によって遊びを持った状態で軸支されるように構成することも可能である。その他の構成は実施例１と同様なので、同一部分に同一符号を付してその説明は省略する。
【００５３】
本実施例によれば、使用位置にある状態でパネル本体２３に前記外力が掛かったときは、その外力がロックアーム３７に伝わって、前記ロックレバー部２９の連結側の側端面に設けられる回動軸４３の部分が前記パネル本体２３から離れる方向へ変位しようとするが、その変位量は、当該軸受６７の遊びの範囲での極僅かな量となり、それ以上の変位は規制される。従って、前記遊びを設けるだけで、前記三点（軸受４５、軸受４７、軸受６７）の軸支位置の製造精度を高く求められることなく、前記連結部やチルト機構部の破損を招くような前記捩れの問題を防止することができる。
【００５４】
〔その他の実施例〕
この他、本発明のパネル装置２１は、インクジェットプリンター１以外のレーザープリンター、ファクシミリ、複写機等の他の記録装置や、チルト式のパネル装置を使用している種々の電子機器等に対して適用することも可能である。
【００５５】
また、パネル本体２３の回動位置は、収納位置と使用位置の少なくとも２つの位置でよく、必ずしも多段階にパネル本体２３の回動位置を変えられる構成でなくても構わない。
【符号の説明】
【００５６】
１  インクジェットプリンター（記録装置）、３  スキャナ、５  ハウジング、６  上部、７  給送用開口カバー、８  前面部、９  表面、１０  裏面、１１  表示部、１３  操作ボタン、１５  開口部、１７  排出スタッカ、２１  パネル装置、２３  パネル本体、２５  回動軸、２７  支持フレーム、２９  ロックレバー部、３０  連結側の側端面、３１  係合固定部、３３  チルト機構部、３５  操作部、３６  連結アーム、３７  ロックアーム、３９  回動軸、４１  回動軸、４３  回動軸、４５  端部軸受、４７  端部軸受、４９  中間軸受、５１  アッパーパネル、５３  ロアパネル、５５  係合歯、５７  連結片、５９  係合爪、６１  延長フラップ、６３  凹部、６５  規制部、６７  中間軸受、Ｘ  幅方向、Ｚ  上下方向、Ｓ  回動軸線方向、Ｌ  回動軸線、
【先行技術文献】
【特許文献】
【００５７】
【特許文献１】特開２００７−１６３９５１号公報
【図１】
2011022303.tif 000003
【図２】
2011022303.tif 000004
【図３】
2011022303.tif 000005
【図４】
2011022303.tif 000006
【図５】
2011022303.tif 000007
【図６】
2011022303.tif 000008
【図７】
2011022303.tif 000009
【図８】
2011022303.tif 000010
【図９】
2011022303.tif 000011
【図１０】
2011022303.tif 000012
【図１１】
2011022303.tif 000013
【図１２】
2011022303.tif 000014